Podtech/llm-jp-corpus-v4-ja_patent huggingface dataset:
(57)【要約】【課題】常に携帯できる備前焼製品を作ることにより、岡山の名産のＰＲができる。備前焼で３立方センチメートル角以下の小型の製品を作ることにより、携帯飾りとして使用できるようになった。老若男女に、年齢を問わず使用してもらえるように、デザインを十二支（子、丑、寅、卯、辰、巳、午、未、申、西、戌、亥）にした。【解決手段】備前焼に携帯ストラップを取り付けやすいように、３立方センチメートル角以下の小型の大きさで十二支を作成する。Ａタイプ…備前焼にあらかじめストラップを通す穴をあけて焼くことにより、直接ストラップを取り付けやすくした。Ｂタイプ…備前焼にあらかじめストラップ金具を装着しやすいように、くぼみをつけて焼くことにより、ストラップ金具を取り付けやすくした。Ｃタイプ…備前焼にあらかじめストラップを結びやすいように円筒部分を作り、デザインすることにより、ストラップを取り付けやすくした。【選択図】図１
2007330736.tif 000002
【特許請求の範囲】
【発明の詳細な説明】
【技術分野】
【０００１】  本発明は岡山県名産の備前焼で十二支（子、丑、寅、卯、辰、巳、午、未、申、酉、戌、亥）の各動物の小型作品（３平方センチメートル以下）をそれぞれ作り、携帯ストラップの飾りとして、使用するようにしたものである。
【背景技術】
【０００２】従来は備前焼で十二支の飾りを作り、それを使った携帯ストラップは無かった。【０００３】
【特許文献１】
【発明の開示】
【発明が解決しようとする課題】
【０００４】  携帯飾りに備前焼を使用することにより、常に携帯できる備前焼製品が出来る。十二支を使用することにより、流行に左右されず、老若男女に使ってもらえる岡山県の名産品としてＰＲできる。
【課題を解決するための手段】
【０００５】  備前焼で十二支を３平方センチメートル角以下の小型の大きさで作ることにより、ストラップ飾りとして使用できるようにした。
携帯ストラップとして使用する為、ストラップが取り付けやすいように穴をあけて備前焼を焼いたＡタイプ、備前焼にストラップ金具を接着しやすいように、くぼみをつけて焼いたＢタイプ、備前焼にストラップを結びやすいようにして焼いたＣタイプ（円筒部分を一部に採用したデザインにした）を考案した。
【発明の効果】
【０００６】  岡山県名産の備前焼を、身近に使われている携帯ストラップ飾りとして使用することにより、年齢を問わず備前焼に親しんでもらえるので、岡山の土産物として、多くの人に備前焼のＰＲができる。
【実施例１】（イ）、Ａタイプ…備前焼にあらかじめ穴を開けて焼き上げて飾りを作ることにより、直接備前焼にストラップを取り付けることができる。
【実施例２】（ロ）、Ｂタイプ…くぼみをつけて備前焼を焼き上げて飾りを作ることにより、直接ストラップ金具をくぼみに容易に接着することができる。
【実施例３】（ハ）、Ｃタイプ…ストラップを直接縛り付けれるように備前焼をデザイン（円筒部分を作る）して焼き上げて飾りを作ることによりストラップを取り付けやすくした。
【図面の簡単な説明】
【０００７】
【０００８】
【図１】  本発明のＡタイプの図である。
【図２】  本発明のＢタイプの図である。
【図３】  本発明のＣタイプの図である。
【符号の説明】
【０００９】  １  ストラップ紐
２  備前焼
３  ストラップ紐を通す穴
４  ストラップ取り付け金具
５  くぼみ
【図１】
2007330736.tif 000003
【図２】
2007330736.tif 000004
【図３】
2007330736.tif 000005
【手続補正書】
【提出日】平成18年8月25日(2006.8.25)
【手続補正２】
【補正対象書類名】特許請求の範囲
【補正対象項目名】全文
【補正方法】変更
【補正の内容】
【特許請求の範囲】
【請求項１】
備前焼で飾りを作り、携帯ストラップにする。
【請求項２】
備前焼で３立方センチメートル角以下の十二支（子、丑、寅、卯、辰、巳、午、未、申、西、戌、亥）を作り、それぞれ携帯ストラップにする。
【請求項３】
３立方センチメートル角以下の備前焼飾りにはストラップを取り付けやすいように、穴をあける…Ａタイプ
【請求項４】
３立方センチメートル角以下の備前焼飾りにはストラップ金具を取り付けやすいように、くぼみをつけて焼く…Ｂタイプ
【請求項５】
３立方センチメートル角以下の備前焼飾りにはストラップを結びつけやすいように、円筒部分を作って焼く…Ｃタイプ
【手続補正３】
【補正対象書類名】明細書
【補正対象項目名】全文
【補正方法】変更
【補正の内容】
【発明の詳細な説明】
【技術分野】
【０００１】  本発明は岡山県名産の備前焼で十二支（子、丑、寅、卯、辰、巳、午、未、申、西、戌、亥）の各動物の小型作品（３立方センチメートル角以下）をそれぞれ作り、携帯ストラップの飾りとして、使用するようにしたものである。
【背景技術】
【０００２】  従来は備前焼で十二支の飾りを作り、それを使った携帯ストラップは無かった。
【特許文献１】
【０００３】
【発明の開示】
【発明が解決しようとする課題】
【０００４】  携帯飾りに備前焼を使用することにより、常に携帯できる備前焼製品が出来る。十二支を使用することにより、流行に左右されず、老若男女に使ってもらえる岡山県の名産品としてＰＲできる。
【課題を解決するための手段】
【０００５】  備前焼で十二支を３立方センチメートル角以下の小型の大きさで作ることにより、ストラップ飾りとして使用できるようにした。
携帯ストラップとして使用する為、ストラップが取り付けやすいように穴をあけて備前焼を焼いたＡタイプ、備前焼にストラップ金具を接着しやすいように、くぼみをつけて焼いたＢタイプ、備前焼にストラップを結びやすいようにして焼いたＣタイプ（円筒部分を一部に採用したデザインにした）を考案した。
【発明の効果】
【０００６】  岡山県名産の備前焼を、身近に使われている携帯ストラップ飾りとして使用することにより、年齢を問わず備前焼に親しんでもらえるので、岡山の土産物として、多くの人に備前焼のＰＲができる。
【実施例１】  （イ）、Ａタイプ…備前焼にあらかじめ穴を開けて焼き上げて飾りを作ることにより、直接備前焼にストラップを取り付けることができる。
【実施例２】  （ロ）、Ｂタイプ…くぼみをつけて備前焼を焼き上げて飾りを作ることにより、直接ストラップ金具をくぼみに容易に接着することができる。
【実施例３】  （ハ）、Ｃタイプ…ストラップを直接縛り付けれるように備前焼をデザイン（円筒部分を作る）して焼き上げて飾りを作ることによりストラップを取り付けやすくした。
【図面の簡単な説明】
【０００７】
【０００８】
【図１】  本発明のＡタイプの図である。
【図２】  本発明のＢタイプの図である。
【図３】  本発明のＣタイプの図である。
【符号の説明】
【０００９】  １  ストラップ紐
２  備前焼
３  ストラップ紐を通す穴
４  ストラップ取り付け金具
５  くぼみ
(57)【要約】【課題】  バンソウコウ保護容器を提供する。【解決手段】  円形に巻き込まれた従来のテープ式バンソウコウ（２）を透明プラスティックケース（１）の軸心（３）にセットしたこと特徴とするバンソウコウ保護容器。【選択図】図１
2007330733.tif 000002
【特許請求の範囲】
【請求項１】
従来のテープ式バンソウコウ（２）を透明プラスティックケース（１）の軸心（３）にセットして、従来のテープ式バンソウコウ（２）に直接、手を触れずに、必要な箇所に従来のテープ式バンソウコウ（２）を貼り付ける事を特徴とするバンソウコウ保護容器。
【発明の詳細な説明】
【技術分野】
【０００１】  本発明は、バンソウコウ保護容器に関するものである。
【背景技術】
【０００２】従来、円形に巻き込まれたテープ式バンソウコウがあった。
【発明の開示】
【発明が解決しようとする課題】
【０００３】そのために、次のような問題点があった。
（イ）従来のテープ式バンソウコウ（２）を使用する時に、密着して巻き込まれているテープ式バンソウコウ（２）の端をつめでつまんで引き剥がすのは困難であった。
（ロ）従来のテープ式バンソウコウ（２）の端をつめでつまんで引き出すときに、つめ、指、手などが円形に巻き込まれた従来のテープ式バンソウコウ（２）全体に直接触れており、このバンソウコウを傷口などに貼り付けるのは衛生上きわめてこのましくなかった。
本発明は、これらの問題点を解決するためになされたものである。
【問題を解決するための手段】
【０００４】  円形に巻き込まれている、従来のテープ式バンソウコウ（２）を、軸心（３）を持っているプラスティックなどで造られた透明プラスティックケース（１）の軸心（３）にセットして、手が従来のテープ式バンソウコウ（２）に直接触れることなく、この透明プラスティックケース（１）につけられた、小さな出口（８）から、従来のテープ式バンソウコウ（２）を引き出して、必要な場所に従来のテープ式バンソウコウ（２）を貼り付けることを特徴とする、バンソウコウ保護容器である。
【発明の効果】
【０００５】（イ）透明プラスティックケース（１）の出口（８）から出ている従来のテープ式バンソウニウ（２）の接着面（５）の端を、目的の場所に接着させて、バンソウコウ押さえ（４）で、従来のテープ式バンソウコウ（２）の非接着面（６）を軽く押さえて、透明プラスティックケース（１）を手前に引くと、従来のテープ式バンソウコウ（２）の端が出口（８）から引き出されて、必要な場所に貼り付けられながら、伸びだしてゆき、従来のテープ式バンソウコウ（２）が必要な長さで貼り付けられたら、これをはさみで切断する。
（ロ）円形に巻き込まれた、従来のテープ式バンソウコウ（２）を透明プラスティックケース（１）の軸心（３）にセットし、ふた（７）をすれば、つめ、指、手が従来のテープ式バンソウコウ（２）に触れることなく、衛生的に目的の場所に従来のテープ式バンソウコウ（２）を貼り付けることが出来る。
（ハ）「図３」は本発明の使用図であり、従来のテープ式バンソウコウ（２）を目的の場所に、バンソウコウ押さえ（４）で非接着面（６）を軽く押し、透明プラスティックケース（１）を右側に引くと、従来のテープ式バンソウコウ（２）が必要な量だけ伸びだして、目的の場所に貼り付いていることを示している。
【発明を実施するための最良の形態】
【０００６】以下、本発明の実施の形態について説明する。
円形に巻き込まれた従来のテープ式バンソウコウ（２）を、透明プラスティックケース（１）の軸心（３）にセットし、ふた（７）をする。
本発明は、以上のような構成で、これを使用するときは、透明プラスティックケース（１）の軸心（３）に従来のテープ式バンソウコウ（２）をセットして、透明プラスティックケース（１）の出口（８）から少し出ている従来のテープ式バンソウコウ（２）の非接着面（６）の先端をバンソウコウ押さえ（４）で軽く押さえて、目的の場所に当て、手前に引けば、従来のテープ式バンソウコウ（２）の接着面（５）の一部がすでに、目的の場所に貼り付いているので、従来のテープ式バンソウコウ（２）は必要な長さだけ、透明プラスティックケース（１）から簡単に引き出され、目的の場所に貼り付き、必要な長さで目的の場所に、従来のテープ式バンソウコウ（２）の接着面（５）が貼りついたら、透明プラスティックケース（１）の出口（８）から伸びだしている、従来のテープ式バンソウコウ（２）をはさみで切れば、従来のテープ式バンソウコウ（２）に手が触れることなく、従来のテープ式バンソウコウ（２）を貼り付けられるので、きわめて衛生的に、そして簡単に従来のテープ式バンソウコウ（２）を目的の場所に貼り付けられる。
【実施例】
【実施例１】  本発明は、文房具のセロファンテープに、応用できる。
【実施例２】  本発明は、文房具のメンディング・テープに応用できる。
【実施例３】  本発明は、ダンボール箱の組み立て用ガムテープに応用できる。
【図面の簡単な説明】
【０００７】
【図１】  本発明の斜視図
【図２】  従来のテープ式バンソウコウ
【図３】  本発明の使用図
【符号の説明】
【０００８】  １  透明プラスティックケース
２  従来のテープ式バンソウコウ
３  軸心
４  バンソウコウ押さえ
５  接着面
６  非接着面
７  ふた
８  出口
【図１】
2007330733.tif 000003
【図２】
2007330733.tif 000004
【図３】
2007330733.tif 000005
(57)【要約】【課題】  従来の輸液用ダブルバッグ製剤の包装袋は、輸液用ダブルバッグ製剤の隔壁未開通の危険に対して隔壁開通確認を促す注意書きの記載で対応していた。  包装袋から取り出せば隔壁が開通する輸液用ダブルバッグ製剤の包装袋を提供する。【解決手段】  輸液用ダブルバッグ製剤の１室とその室の形状にあわせた箱状の物質を箱状の物質の中で接合し、包装袋の中に入れて固着させることで、輸液用ダブルバッグ製剤を包装袋から分離しなければ使用することができないようにした。輸液用ダブルバッグ製剤を包装袋から取り出せば隔壁部分は開通するように工夫したものである。【選択図】図１１
2007330731.tif 000002
【特許請求の範囲】
【請求項１】
輸液包装袋の中に、輸液用ダブルバッグ製剤と接合する箱状の物質を設けた輸液包装袋。
【発明の詳細な説明】
【発明の詳細な説明】
【技術分野】
【０００１】  本発明は輸液用ダブルバッグ製剤を本発明から取り出す時、輸液用ダブルバッグ製剤の隔壁を開通した状態にする輸液包装袋に関するものである。
【背景技術】
【０００２】  従来の輸液包装袋は輸液製剤の品質保持や汚損を防ぐのが目的であり、輸液用ダブルバッグ製剤の隔壁開通忘れを防ぐ対策は、隔壁開通を促す注意書きだけであった。
【発明が解決しようとしている課題】
【０００３】  輸液用ダブルバック製剤は、輸液用ダブルバッグを輸液包装袋から取り出して上室または下室に圧力を加え隔壁を開通してから使用しているが、開通確認は個々の看護師または薬剤師に委ねられており、隔壁の開通を忘れたまま、あるいはすでに開通したと勘違いして下室のみ点滴するという重大な欠点があった。
本発明は、その欠点を除くためになされたもので、輸液用ダブルバッグ製剤の使用時には必ず隔壁が開通した状態になるように考えたものである。
【課題を解決するための手段】
【０００４】  輸液用ダブルバッグ製剤に箱状の物質を接合し輸液包装袋のなかで固着させる。本発明は以上の構成からなる輸液用ダブルバッグ製剤の輸液包装袋である。
【発明を実施するための最良の形態】
【０００５】  図面を用いて説明すれば、本発明は輸液用ダブルバッグ製剤（以下、ダブルバッグと記載）の上室又は下室のいずれか１室に装着する箱状の物質（以下、箱と記載）とそれを包む輸液包装袋（以下、外袋と記載）から成り立っている。
箱は表側の中央にミシン目状の切り込み（３）を入れて手または指で押すことで箱から切り離れる部分（１）を設け、押し抜く部分と呼ぶこととする。押し抜く部分の裏面には糊を付着して、ダブルバッグの室に箱を装着した時にダブルバッグと箱が接合し、引き離そうとしても離れない状態にする。ダブルバッグの室にゴム栓がある場合、箱はゴム栓部分（１６）を覆ってもよい。箱は押し抜く部分を押した時にへこんだりよれたりしない強度を確保し、押し抜く部分を押した時に接合するダブルバッグの室へ圧力が加わるように接合するダブルバッグの室の胴回りに合わせた隙間のない形状で設計する（図５）。箱をカッターナイフやハサミで切り裂く、箱を手で引きちぎる、箱の押し抜く部分を引き剥がして箱とダブルバッグを無理やり分離させる等の行為をさせないようにするため箱の裏面に糊（８）を付着し、外袋（１０）の中で固着させて外袋から取り出せなくする（図７）。外袋を密閉すると、ダブルバッグの保存状態になる（図８）。
ダブルバッグを外袋から取り出すには、密閉状態の外袋を開封し押し抜き部分を手または指で押し込み（図１０）、ダブルバッグを箱から分離しなければならない。押し抜き部分を押し込んで箱からダブルバッグを分離した時にダブルバッグの室にも圧力が加わるので、ダブルバッグの隔壁は開通する（図１２）。よって本発明を用いることにより安全にダブルバッグを使用することができる。
箱の押し抜く部分に形や大きさの指定はない。押し抜く部分を切り抜き易くする工夫の１例として、押し抜く部分の対をなす上下の辺部分をあらかじめ切り取り（２）、押し抜く部分と箱が繋がっているのは押し抜く部分の左右辺だけにすれば力まなくても切り離せるようになり、箱の強度も減少させることが可能で経済的に箱を設計できる。
不透明な外袋を使用する場合、押し抜き部分を視認できないので、手探りで押し抜き部分を手で認識できるように押し抜く部分に突起物を設けるか、或いは外袋に押す場所を記載するなどの工夫をする。
使用後の外袋はゴミとなるため、ゴミの量を少なくする工夫として、ダブルバッグを折りたたんだ状態にして外袋を小さくすることも出来る。（図５、図６、図７）
【本発明の効果】
【０００６】  本発明を輸液用ダブルバッグ製剤に用いることにより、下室のみの点滴という医療事故はなくなる。下室のみの点滴というミスがあった場合、未開通に気づかなかった看護師又は薬剤師の罪悪感による苦しみや被害を受けた患者と医療従事者の信頼は損なわれるが、本発明によりそのような事はなくなる。本発明により医療従事者はダブルバッグの下室のみの点滴という危険性から開放され、ストレスなしに点滴の調整が出来るので精神的な余裕が生まれる。点滴の開通確認作業は楽になり、他の仕事時間をさく余裕が生まれる。
【図面の簡単な説明】
【図１】本発明の箱状物質部分の展開図
【図２】本発明の箱状物質部分の立体図
【図３】本発明の輸液用包装袋部分の正面図
【図４】輸液用ダブルバッグ製剤正面図
【図５】本発明の実施例図その１
【図６】本発明の実施例図その２
【図７】本発明の実施例図その３
【図８】本発明の実施例図その４
【図９】本発明の実施例図その５
【図１０】本発明の実施例図その６
【図１１】本発明の実施例図その７
【図１２】本発明の実施例図その８
【符号の説明】
（１）箱状物質の押し抜き部分（裏に糊が付着している）
（２）切り抜いた部分
（３）ミシン目状の切り込み
（４）箱状物質の表面
（５）箱状物質の側面
（６）箱状物質の底部
（７）箱状物質の裏面
（８）箱状物質の裏面の糊付着部分
（９）箱状物質の組立図
（１０）輸液包装袋
（１１）輸液用ダブルバッグ製剤
（１２）つり穴
（１３）上室
（１４）隔壁
（１５）下室
（１６）ゴム栓
【図１】
2007330731.tif 000003
【図２】
2007330731.tif 000004
【図３】
2007330731.tif 000005
【図４】
2007330731.tif 000006
【図５】
2007330731.tif 000007
【図６】
2007330731.tif 000008
【図７】
2007330731.tif 000009
【図８】
2007330731.tif 000010
【図９】
2007330731.tif 000011
【図１０】
2007330731.tif 000012
【図１１】
2007330731.tif 000013
【図１２】
2007330731.tif 000014
(57)【要約】【課題】掛け布団カバーが観音開きに大きく開く、布団を出し入れしやすい掛け布団カバーを提案する。【解決手段】  掛け布団カバーの布団を出し入れする場所を、ファスナーやボタンを使用し、観音開きになることで大きく開閉出来ることを特徴とした、出し入れしやすい掛け布団カバー。【選択図】図１
2007330720.tif 000002
【特許請求の範囲】
【請求項１】
掛け布団カバーの布団を出し入れする場所を、ファスナーやボタンを使用し、観音開きになることで大きく開閉出来ることを特徴とした、出し入れしやすい掛け布団カバー。
【発明の詳細な説明】
【技術分野】
【０００１】  本発明は、掛け布団カバーの布団を出し入れする場所を観音開きにした、出し入れしやすい掛け布団カバー。
【背景技術】
【０００２】  従来は、出し入れする場所が大きく開かないので、布団の出し入れがしにくい掛け布団カバーでした。
【発明の開示】
【発明が解決しようとする課題】
【０００３】  そのために次のような問題点があった。
（イ）大きなサイズの布団になるほど、布団を入れるときに手間がかかる。
【課題を解決するための手段】
【０００４】  掛け布団カバーの布団を出し入れする場所を、ファスナーやボタンを使用し、観音開きになることで大きく開閉出来ることを特徴とした、出し入れしやすい掛け布団カバー。
【発明の効果】
【０００５】  掛け布団カバーが大きく開くので、布団を出し入れしやすい。
【発明を実施するための最良の形態】
【０００６】  以下、本発明の実施の形態について説明する。
（イ）掛け布団カバー（３）に、布が重なり合い観音開きになるように、ボタン（１）と、左右から中心に向かうようにファスナー（２）を付ける。
（ロ）ボタン（１）を全部はずし、ファスナー（２）を中央から左右に開けば、布団を出し入れできる。またボタンをはめる穴（４）は、ボタンをはずした時の穴である。
【図面の簡単な説明】
【０００７】
【図１】本発明の斜視図
【図２】本発明の他の実施例を示す斜視図
【符号の説明】
【０００８】  １    ボタン
２    ファスナー
３    掛け布団カバー
４    ボタンをはめる穴
【図１】
2007330720.tif 000003
【図２】
2007330720.tif 000004
(57)【要約】【課題】  日本の高齢人口構成比が拡大の一途を歩む昨今に於いて高齢者の食生活の自立化が急務となって来ている。特に、高齢者層の生鮮野菜の摂取比率の改善に対する支援が必要となってきている事から摂取効率の良い根菜類や果肉果実類を、高齢者自身による操作が容易に可能で、且つ、衛生面や操作上の安全性を保障できるおろし器の市場供給が必要となってきている。【解決手段】  高齢者自身が単純操作にて目的とする根菜類や果肉果実類を装置に挿入することを可能とし、且つ、当該食品の衛生的保持が容易な機構構造を持つ本装置内に密閉する条件にてハンドルの回転操作を行う事により、当該食品のおろしを作ると共に、残余の材料を装置内に密閉状態で保存することを可能とする根菜類や果肉果実類等に用いるおろし器を提供する事によって課題の解決を図らんとするものである。【選択図】図１
2007330715.tif 000002
【特許請求の範囲】
【請求項１】
回転ハンドルアームを一端に装備し被加工対象物の回転と加工対象物の嵩高さに応じ上下に摺動する回転軸を保持する該回転軸の軸受機構、並びに、当該回転軸の他端に根菜類や果肉果実等の加工対象物、以下、被加工物と呼ぶ、を保持する突起を装備する機構構造により構成する被加工物の保持機構、並びに、該装置に装着する被加工物のおろし作業中断時、等、に於ける被加工物の空曝劣化と乾燥防止機能、及び、該回転軸の軸受機構構造を保持する釣鐘状の中空筐体、並びに、該中空筐体の下方開放端部との着脱保持の整合性、並びに、すり卸された該被加工物を収納保持する受け皿機構の開放部端との着脱保持の整合性を有する構造を持つすり卸し盤で構成する該根菜類や果肉果実類のおろし器。
【請求項２】
円形底面の中心部を頂点とし、互いに、外周壁に向かって放射状に下降する傾斜面に複数個の扇形形状斜面部と、該扇形形状斜面部の間を下方に貫通するスリット空間で構成し、且つ、該扇形斜面上部表面に該円形底面の中心よりの距離をランダムとする位置配列に突起部を設け、且つ、回転週速度が低下する該円形平面中心部域に立上げリブ構造にて形成するヒトデ状の展開アーム切削機能構造を形成してなる請求項１に述べる該根菜類や果肉果実類のすり卸し盤構造。
【発明の詳細な説明】
【技術分野】
【０００１】本発明は、根菜類、や、果肉果実類等、以下、当該対象物と呼ぶ、を、おろし金上で回転させ、おろした該対象物を着脱可能な器に蓄積する機構構造で構成する当該対象物のおろし機に関する。
【背景技術】
【０００２】一般家庭に於いて、金属板に突起を設けたおろし金や、セラミック等にて焼成形成した円形平板上の突起部構造を持つおろし機を用い、当該対象物を手で持ち前後や円回転等の動作にて摺り卸す手法が取られている。
【発明の開示】
【発明が解決しようとする課題】
【０００３】現在、市場に供給されている前述のおろし金は、家庭構成者の高齢化に伴う操作者の握力の低下や摺り卸し動作の制御力の低下等による、おろし金の突起部による手の擦過傷事故を完全に排除する事が困難であり、且つ、高齢者が素手にて食品を保持して該作業を行うことの衛生面上の問題を完全に解決することは難しく固形物の消化力が衰える高齢者の新鮮野菜食材の摂取に対する自立意識の障害となっている。【０００４】又、例え、前述の問題点が解決されるとしても残存した該材料、並びに、すり卸された該食品が空気に曝された状態に放置される問題を解決することが難しい。
【課題を解決する為の手段】
【０００５】斯かる課題を解決する手段として、第一に、当該対象物の摺り卸し作業中に於ける該対象物を直接手で掴む操作を完全に排除する機構構造、第二に、摺り卸し作業中の該突起構造部に指先等が直接触れる事による擦傷事故を完全に排除出来る機構構造、第三に、非加熱食材の空中放置に伴う新鮮度の劣化防止等を図る容易な機構構造を兼備させ、腕や指先の運動神経が劣化する老年層が遭遇する前述の課題と、加齢に伴う対象となる非加熱食品類の空中放置や食品の自主衛生管理面への配慮の欠落を根本的に解決させようとするものである。
【０００６】作業の対象物となる、当該対象物の容易な装着と、図１に示す機構１、２、３、４、５、７、並びに、該装着食品を保持する突起１１を含む回転機構を装備した外気曝露防止を満足させる透明筐体６にて構成する当該対象物の保持と回転を司る構造体、並びに、容易な着脱を可能とする嵌め合せ構造１２を持つおろし金機構９、並びに、該おろし金機構により摺り卸された食品を保持する容器１０にて構成する機構構造によって課題を解決するものである。
【発明の効果】
【０００７】本発明のおろし機は、おろし作業中に於いて作業者が直接該対象物に手を触れる事に対する衛生管理の必要性と、おろし金の突起部による該作業者の指先等の擦傷事故からの完全な開放により、該対象物の廃棄量を最小化できる経済効果と共に、前述、指先等の摺傷事故を完全に排除する安全機能を提供する事により高齢生活者の食生活の自立性を支援することの効果を生み出すものである。
【発明を実施する為の最良の形態】
【０００８】高齢者が使用するに習熟しやすい機構構造、並びに、衛生管理を満足させる空曝防止管理が容易な単純機構構造、高齢者を対象とした使用時に於ける操作の単純性と安全性、更に、使用後の洗浄と収納に至る作業の簡便さを満足させる機構構造が求められる条件となる。
【実施例】
【０００９】本発明のおろし器の機構構造は、図１、図２、並びに、図３、図４に示す機構構造にて構成するものである。【００１０】日常の取り扱いの容易性、並びに、衛生管理の容易性を考慮し、注油等の作業が不要なテフロン製軸受け４とこれを保持する補強機構５により自由な回転と上下摺動機能を持たせた不錆鋼軸７に、すり卸す該対象物を容易に回転させる為のノブ２を持つハンドル３を固定連結し、かつ、すり卸す材料を保持する突起部１１を持つ押さえ機構８を固定装着してなる回転機構部を、衛生管理に容易な透明樹脂にて形成する保持筐体６に補強ブッシュ５にて装備する回転軸と回転ハンドル、並びに、該駆動部筐体と容易に着脱可能で且つ確実に装着保持するリブ構造１２を持つおろし金機構部９、と、摺り卸した食品の受け皿１０で構成する機構構造により求める機能を成立させるものである。
【図面の簡単な説明】
【００１１】
【図１】、図２のＡ−Ａ断面図
【図２】、平面図
【図３】、おろし金平面図
【図４】、図３のＢ−Ｂ断面図
【符号の説明】
【００１２】  １  回転ハンドルノブ固定ビス  ２  回転ハンドルノブ  ３  回転ハンドルレバー  ４  テフロン製軸受けブッシュ  ５  軸受け４の補強構造体  ６  回転軸保持と作業対象材料の密閉保持筐体  ７  回転シャフト  ８  根菜類等の作業対象材料を保持する押さえ盤  ９  筐体１０の蓋、並びに、おろし盤保持筐体１０  おろされた食品の収納保持筐体１１  根菜類等の作業対象材料を固定保持する固定針１２  筐体６を保持するリブ構造１３  すり卸し突起１４  摺り卸された対象物の落下穴１５  中心部ヒトデ状突起リブ
【図１】
2007330715.tif 000003
【図２】
2007330715.tif 000004
【図３】
2007330715.tif 000005
【図４】
2007330715.tif 000006
(57)【要約】【課題】  従来、靴に足を入れ、幅は、合っているのに足長が足りなかったり、足長は合っているのに幅が合わなかったり、靴に足を合わせなければならず、不便だった。それを幅さえ合えば足長を合わせられ、足に靴を合わせられる靴を提供する。【解決手段】    靴の底下のゴム部（１）靴の上部の生地部（２）その靴の上部の生地部（２）の一方の靴の側面から反対側の側面まで靴の生地を伸ばし面ファスナー凹（３）面ファスナー凸（４〉等を使い止める事を特徴とする。【選択図】図１
2007330751.tif 000002
【特許請求の範囲】
【請求項１】
靴の底下のゴム部（１）靴の上部の生地部（２）その靴の上部の生地部（２）の一方の靴の側面から反対側の側面まで靴の生地を伸ばし面ファスナー凹（３）凸（４）等を使い固定する履き心地調整可能靴。
【発明の詳細な説明】
【技術分野】
【０００１】    この発明は靴のかかとの部分を開いた靴に関するものである。
【背景技術】
【０００２】    従来は、上部の筒状の所から足を入れ足をＬ字型にしてする物が多かった。
【発明の開示】
【発明が解決しようとする課題】
【０００３】    これは、次のような欠点があった。
（イ）  足首から先の長さが靴で決まっていた。
（ロ）  偏平足の人は、ちょつと大きめの靴にしてつま先まで届かなく足に合っていないのに我慢している。
（ハ）  足は、朝と夕方では、むくみにより若干サイズが変わり、足に圧迫感を感じる事があった。
【課題を解決するための手段】
【０００４】    靴の底下のゴム部（１）靴の上部の生地部（２）その靴の上部の生地部（２〉の一方の靴の側面から反対側の側面まで靴の生地を伸ばし面ファスナー凹（３）凸（４）等を使い固定する。
本発明は以上のような構造よりなる、履き心地調整可能靴である。
【発明の効果】
【０００５】    発明は以上のような構造なので、これを使用すると足に靴を合わせられ、朝と夕方で足の大きさが、むくみで変わるが足に靴がミリ単位でフィットするので使い勝手がよい。
【発明を実施するための最良の形態】
【０００６】    以下、本案の実施の形態について説明する。
靴の底下のゴム部（１）靴の上部の生地部（２）その靴の上部の生地部（２）の一方の靴の側面から反対側の側面まで靴の生地を伸ばし面ファスナー凹（３）凸（４）等を使い止める。
本案を使用する時は、靴の生地を一方の側面から、かかとの後ろを通して反対の側面まで回して面ファスナー等で固定する。
【図面の簡単な説明】
【０００７】
【図１】    本発明の斜視図である。
【符号の説明】
【０００８】    １靴のゴム部    ２靴の生地部    ３面ファスナー凹    ４面ファスナー凸
【図１】
2007330751.tif 000003
(57)【要約】      （修正有）【課題】雨降りの時に、カバン、ランドセル、リュックサックを背負った時に傘を各々に取り付け、傘を持つ手が自由に使える事を目的とした器具を提供する。【解決手段】傘をカバン、ランドセル、リュックサックを中央部に取り付ける。雨降りの時に片手、若しくは両手が自由に使える様にした、雨降り時に便利なカバン、ランドセル、リュックサックを提供する為に考案した。【選択図】図１
2007330754.tif 000002
【特許請求の範囲】
【請求項１】
背中に背負うカバン、ランドセル、リュックサックに、傘を取り付けた物で有って、降雨時でも片手で傘を持つ必要が無く、両手が自由に使える様にした傘カバンで有る。
【発明の詳細な説明】
【発明の詳細な説明】
【技術分野】
【０００１】本発明は、普通の片に掛けるカバン、ランドセル、リュックサックに降雨時に傘を取り付け、両手が自由に使える物としたカバン、ランドセル、リュックサックで有る。
【背景技術】
【０００２】従来、この様な、カバン、ランドセル、リュックサックは無かった。
【発明が解決しようとする課題】
【０００３】従来はこの様な装置の付いた肩に掛けるカバン、ランドセル、リュックサックは無かった。降雨時の片手で傘を持つ事から両手を自由に使える様にした、カバン、ランドセル、リュックサックで有る。
【課題を解決する為の手段】
【０００４】背中に背負うカバン、ランドセル、リュックサックの中央部、又は左右どちらか片方へ傘の柄の部分及び軸を堅固に固定し、人体（特に中央部背中）に当たる所は柔らかい暖衝材（布、ゴム、発泡スチロール等）にて保護され、上下左右に抜け落ちない構造の物とする。
【発明を実施するための最良の形態】
【０００５】このカバン、ランドセル、リュックサックに取り付ける装置を図−２に示す。
この傘取り付け方法は、各々の背面中央部、若しくは、左右どちらか一方の横面に取り付ける。
【実施例】
【０００６】この傘の柄の部分の取り付けは、背面中央部と左右どちらかの横面の一方は、硬質な物質が望ましく、強固に傘の柄の部分を固定し、上下左右に容易に抜け落ちない構造とする。又、他面はスポンジ状（布、綿、ゴム、発泡スチロール等）で人体に接触する部分は痛くない構造とする。【０００７】傘の取り付け方法は、中央部取り付け形式の物は、片方固定で、他方は左右に開くか、下部固定で上部は開く方式で良い。【０００８】図２においては、傘の中央部と左右一方の取り付け位置を示している。
先ず、傘の柄の部分を硬い板（アルミ、鉄板、樹脂板、木の板等）にビス、粘着テープ、ホック等で、３〜６ヶ所、傘の芯棒も同様に３〜６ヶ所堅固に留める。
【発明の効果】
【０００９】傘を持っている時に比べ      １〉  行動の自由が利く。
２〉  両手が使える。
３〉  周囲に気が利く。
４〉  便利で有る。
【図面の簡単な説明】
【００１０】
【図１】  本発明の実施形態を示す斜視図である。
【図２】  同上の傘を中央部と左右片側に取り付ける為の位置図である。
【図３】  定位置にバンドを固定する為の位置図である。
【図４】  傘の大きさによりそのバンドの位置が変えられる様にする金物の位置図である。
【図５】  傘の握り手と芯棒を固定する為の鋲とネジ締めを行なう図である。
【符号の説明】
【００１６】  １．  傘の芯棒と柄を結合する本体。
２．  本体と傘をはさむカバン、ランドセル、リュックサックの付いている蓋。
３．  本体に取り付ける紐（鉄板、樹脂板、布）。
４．  本体と紐を禁結させるビス。
５．  本体と紐を禁結させるネジ。
６．  紐を自由に動かせる、移動ガイドレール。
７．  傘の芯棒と柄を緊結させる紐。
８．  取り外し自在マジックテープ。
９．  暖衝材（クッションの役目を果たす材料）。
【００１７】  左右どちらかに傘を取り付けるタイプ
２１．傘の芯棒と柄を結合する本体。
２２．本体に取り付ける紐（鉄板、樹脂板、布）。
２３．本体と紐を緊結するビス。
２４．紐を通すバンド。
【図１】
2007330754.tif 000003
【図２】
2007330754.tif 000004
【図３】
2007330754.tif 000005
【図４】
2007330754.tif 000006
【図５】
2007330754.tif 000007
(57)【要約】【課題】従来は、フオークの柄は１本だった。したがって握り込んでしまいやすく、食べずらく不便だった。それでフオークの柄をお箸のように２本にした物を提供する。【解決手段】  フオーク（１）を２本の柄（２）にしたことを特徴とする。【選択図】図１
2007330742.tif 000002
【特許請求の範囲】
【請求項１】
フオークの柄をお箸のように２本にしたフオーク。
【発明の詳細な説明】
【技術分野】
【０００１】  この発明は、フオークの柄をお箸のように２本にしたフオークに関するものである。
【背景技術】
【０００２】  従来、フオークの柄は、１本になっていた。
【発明の開示】
【発明が解決しようとする課題】
【０００３】  これはつぎのような問題点があった。
お年寄りの方は、スプーンやフオークの柄を握り込んでしまいスプーンやフオークの柄と手の角度が垂直になりうまく食べ物を口に運べない点が問題だった。
【課題を解決する手段】
【０００４】  フオークの柄を２本にする。
以上の構成よりなる、柄を２本にしたフオークである。
【発明の効果】
【０００５】  柄が２本になっているので握り込む人が軽減できる。それによりお箸で食べている感覚になり、こぼさず食べやすくなる。
【発明を実施するための最良の形態】
【０００６】  以下、本発明の実施れいについて説明する。
フオーク（１）に２本の柄（２）を設ける。
本発明は、以上のような構造でこれを使用するときは、フオークと一体になった、２本の柄をお箸のように持って食べればよい。
【図面の簡単な説明】
【０００７】
【図１】  本発明の斜視図である。
【符号の説明】
【０００８】  １  フオーク
２  ２本の柄
【図１】
2007330742.tif 000003
(57)【要約】      （修正有）【課題】かるい力で背中をこすることができるアカすりタオルを提供する。【解決手段】タオル１の中央部に、タオル束ね紐通し用袋穴４と中空ゴムボ−ル入れポケット６を取り付け、タオル束ね紐通し用袋穴４にタオル束ね紐を通し先端に結び目をつくり、中空ゴムボ−ル入れポケット６に中空ゴムボール７を入れ、このポケットの入れ口をふさぐようにタオル１を丸めて巻き中空ゴムボ−ル７の左右両端をタオル束ね紐３できつく縛った、中空ゴムボ−ル入れポケット付きアカすりタオルである。【選択図】図１
2007330748.tif 000002
【特許請求の範囲】
【請求項１】
図３のタオル１の中央部に。図５のタオル布２の４辺を縫い線の通りに縫い付け、さらに、タオル布２の左右２ヵ所に、タオル束ね紐通し用袋穴４を縫い線の通りに縫って作り、図５のようにタオル布の一部分を折り重ねて縫い線の通りに縫い付けて、中空ゴムボ−ル入れポケット６を作ります。それから、タオル束ね紐通し用袋穴４にタオル束ね紐３を図４のように通し、紐が抜けないように先に結び目をつくる。これで、中空ゴムボ−ル入れポケット付きアカすりタオルが出来上がりです。これはこのままで、普通のアカすりタオルとして使えます。さらに、中空ゴムボ−ル入れポケット６に中空ゴムボ−ル７を図１のように入れ、入れ口をふさぐように図２のように丸めて、タオル束ね紐３でタオルを縛ると少し高いふくらみが出来、これが背中のこすりたい所にちょうど良くあたり、自分一人でも気持ち良くアカすりが出来るようにした、中空ゴムボ−ル入れポケット付きアカすりタオルである。
【請求項２】
図３のタオル１と図５のタオル布２を色々な素材の生地で作った請求項１の中空ゴムボ−ル入れポケット付きアカすりタオル。
【発明の詳細な説明】
【発明の詳細な説明】
【技術分野】
【０００１】この発明は、タオルの中央部に中空ゴムボ−ル入れポケットを取り付ける。さらに、タオルにタオル束ね紐を固定できる袋穴を取り付けここにタオル束ね紐を通す。さらに、中空ゴムボ−ル入れポケットに中空ゴムボ−ルを入れ、中空ゴムボ−ルが抜け出て来ないようにするためと、少し高めのふくらみを作るために、中空ゴムボ−ル入れポケットの入れ口をふさぐようにタオルを縦長に丸めて、中空ゴムボ−ル入れポケットの左右をタオル束ね紐で縛り、タオルの中央部に少し高めのふくらみが出来るようにした、中空ゴムボ−ル入れポケット付きアカすりタオル。
【背景技術】
【０００２】  従来のタオルでは、背中の手の届かない所は、人の手を借りなければ、自分ではどんなに力を入れてもこすれない悩みがありました。
【発明が解決しようとする課題】
【０００３】  本発明は、その悩みを解消して、かるく力を入れただけで、自分で気持ち良く背中をこする事が出来るようにした、アカすりタオルを開発しようとするものである。
【課題を解決するための手段】
【０００４】  いまその解決手段を図面を追いながら説明すれば、
（イ）  タオル１の中央部に、タオル布２を縫い線の通りに縫い付け、タオル束ね紐通し用袋穴４を作る。
（ロ）  タオル布２の折り返しの部分を中央に折って重ねタオル束ね紐通し用袋穴４をさけて縫い線の通りに縫い付け、中空ゴムボ−ル入れポケット６を取り付ける。
（ハ）  さらに、タオル束ね紐通し用袋穴４にタオル束ね紐３を通す。
（ニ）  タオル束ね紐の先端に結び目を付ける。
【発明を実施するための最良の形態】
【０００５】  本発明は、以上のような構造であるから、これを使用するときは、タオル１に取り付けた中空ゴムボ−ル入れポケット６の中に、中空ゴムボ−ル７を入れ、これが抜け出てこないようにタオル１を縦長に丸めて巻き付けて、中空ゴムボ−ル入れポケット６の左右を締め付けるようにタオル束ね紐３でしっかり縛ると、少し高めのふくらみが出来る。このふくらみの部分を背中のこすりたい所に当てながら、タオルの両端を持って上下左右に引きながらアカすりを実施すればよい。【０００６】なお、本発明の実施に当たって次の如きことができる。
（イ）  タオル１とタオル布２を色々な素材の生地でつくると、肌の弱い人から強い人まで、様々なひとの、好みに合わせることができる。
【発明の効果】
【０００７】したがって、こどもから大人まで男女のくべつなく使え、中空ゴムボ−ルは、水を吸わないのでタオルが重たくならず、自分ひとりで最後まで快適に、自分一人では手の届かない背中を気持ち良くアカすりを実施することが出来る。さらに、中空ゴムボ−ルを取り外すと、普通のアカすりタオルとして使えるので、ふた通りに使えてたいへん便利である。
【図面の簡単な説明】
【図１】  本発明の斜視図の展開図
【図２】  本発明の斜視図
【図３】  本発明の全体図の裏面図
【図４】  本発明の全体図の表面図
【図５】  本発明を構成する部品図
【符号の説明】
１  はタオル
２  はタオル布
３  はタオル束ね紐
４  はタオル束ね紐通し用袋穴
５  は縫い線
６  は中空ゴムボ−ル入れポケット
７  は中空ゴムボ−ル
【図１】
2007330748.tif 000003
【図２】
2007330748.tif 000004
【図３】
2007330748.tif 000005
【図４】
2007330748.tif 000006
【図５】
2007330748.tif 000007
(57)【要約】【課題】外反母趾及び内反小指により内側へ入り込んでしまう親指と小指を正常な位置に戻すため、個々の症状に合わせて親指と小指を外側へ広げる度合いを調節でき、パンプス等お洒落靴の下においても装着を可能にするデザイン性の高い外反母趾及び内反小指予防矯正サポーターを提供する。【解決手段】親指１と小指２をそれぞれ親指包容部３、小指包容部４に装着し、外反母趾及び内反小指の個々の症状に合わせてサポーター５の調節可能ベルト６で親指１と小指２を外側へ広げる度合いを調節できるようにした。また、サポーター５のサポーターの甲の部分７を細くラインを取ることにより、パンプス等のお洒落靴の下にも履けるようデザイン性も兼ね備えた。【選択図】図１
2007330743.tif 000002
【特許請求の範囲】
【請求項１】
外反母趾及び内反小指により内側へ入り込んでしまう親指１と小指２を正常な位置に戻すため、外反母趾及び内反小指の異なる個々の症状に合わせて親指１と小指２を外側へ広げる割合を調整可能ベルト５で調節できる。
【請求項２】
サポーターの甲の部分７を細いラインにすることで靴によっては外へ見えず、パンプス等のお洒落靴の下にも装着することが出来る。
【発明の詳細な説明】
【技術分野】
【０００１】本発明は、外反母趾及び内反小指により内側へ入り込んでしまう親指と小指を正常な位置に戻すため、個々の症状に合わせて親指と小指を外側へ広げる度合いを調節可能ベルトにより調節でき、パンプス等お洒落靴の下においても装着を可能にするデザイン性の高い外反母趾及び内反小指予防矯正サポーターを提供する。
【背景技術】
【０００２】従来は、外反母趾及び内反小指により内側へ入り込んでしまう親指と小指を正常な位置に戻すため、親指と小指を外向きに広げた状態を長時間保つよう個々の症状に合わせ開き具合を調節でき、パンプス等お洒落靴の下においても装着を可能にするデザイン性の高い外反母趾及び内反小指予防矯正サポーターは製品として存在しなかった。
【発明の開示】
【発明が解決しようとする課題】
【０００３】従来の外反母趾及び内反小指予防矯正サポーターでは、外反母趾及び内反小指により内側へ入り込んでしまう親指と小指を外向きに広げた状態を長時間保つよう個々の症状に合わせ開き具合を調節することが難点だった上、パンプス等お洒落靴の下へ装着することを可能にするデザイン性の高いものは存在しなかった。本発明は、この課題を解消するためになされた製品である。
【課題を解決するための手段】
【０００４】親指１と小指２をそれぞれ親指包容部３、小指包容部４に装着し、外反母趾及び内反小指の個々の症状に合わせてサポーター５の調節可能ベルト６で親指１と小指２を外側へ広げる度合いを調節できるようにした。また、サポーター５のサポーターの甲の部分７を細くラインを取ることにより、パンプス等のお洒落靴の下にも履けるようデザイン性も兼ね備えた。
【発明の効果】
【０００５】外反母趾及び内反小指のそれぞれが異なる個々の症状に合わせて親指１と小指２を外側へ広げる度合いをサポーター５の調整可能ベルト６で調節できる。また、サポター５のサポーターの甲の部分７を細いラインにすることで靴によっては外へ見えず、パンプス等のお洒落靴の下にも装着することが出来る。
以下、本発明の実施の形態について説明する。
（イ）．親指１と小指２をそれぞれ親指包容部３、小指包容部４へ装着し、個々の状態により広げる度合いを調節できるようサポーター５へ調節可能ベルト６を装着した。
（ロ．）パンプス等お洒落靴の下にも身に付けることが出来るようサポーター５のサポーターの甲の部分７を細いラインにした。
【図面の簡単な説明】
【０００６】
【図１】  本発明の正面図である。
【図２】  本発明の使用状態を示す斜視図である。
【符号の説明】
【０００７】  １  親指
２  小指
３  親指包容部
４  小指包容部
５  サポーター
６  調節可能ベルト
７  サポーターの甲の部分
【図１】
2007330743.tif 000003
【図２】
2007330743.tif 000004
(57)【要約】【課題】頑固な靴下等の汚れを落とすことと、繊維を破損防止する洗濯板を提供する。【解決手段】板に合成樹脂人工芝マットを張り付けて、解決手段として提供する。【選択図】図１
2007330747.tif 000002
【特許請求の範囲】
【請求項１】
人工芝マットを板に張り付けたことを特徴とする人工芝マット洗濯板。
【発明の詳細な説明】
【技術分野】
【０００１】本発明は洗濯板に関する。
【背景技術】
【０００２】従来に波形凹凸溝を有する物、樹脂ネットを取り付けた洗濯板は使用され利点もあるが、人工芝マットを洗濯板にした発明は無かった。
【発明の開示】
【発明が解決しようとする課題】
【０００３】しかしながら、靴下等頑固な落ちにくい汚れを落とすには、波形凹凸溝、樹脂ネット、洗濯板では不利がある。
【課題を解決するための手段】
【０００４】本発明、頑固な汚れの靴下等、目の細かい繊維、合成樹脂人工芝の毛先の細かい所を、洗剤で摺椄することで、繊維を破損防止と洗濯効率を良く、汚れを落とすことを解決手段とした。
【発明の効果】
【０００５】本発明は、頑固な汚れの靴下等、目の細かい繊維、合成樹脂人工芝の毛先で洗剤使用、摺椄することで、汚れが早く落ちる効果がある。【０００６】合成樹脂人工芝のため、繊維に摺椄しても破損防止の効果となる。【０００７】洗剤使用も量が少なくてすむ。
【発明を実施するための最良の形態、実施例】
【０００８】本発明の人工芝洗濯板は、図１に示すように、板の正面に合成樹脂の人工芝マットを張り付ける人工芝洗濯板の形態である。
【０００９】実施例は、人工芝洗濯板に、頑固な汚れの靴下等の細かい目の繊維を、洗剤、水、湯を使用、摺椄することで、汚れを落とすことと、繊維の破損防止のための人工芝洗濯板となる。
【図面の簡単な説明】
【図１】本発明に係る人工芝洗濯板の全体工程図である。
【符号の説明】
１    板（合成樹脂、木材、ゴム、金属でもよい）
２    人工芝マット（合成樹脂製）
【図１】
2007330747.tif 000003
(57)【要約】      （修正有）【課題】従来は、スプーンの柄は１本だった。したがって握り込んでしまいやすく、食べずらく不便だった。それでスプーンの柄をお箸のように２本にした物を提供する。【解決手段】  スプーン（１）を２本の柄（２）にしたことで、握り込むこと軽減できて、お箸で食べている感覚になり、こぼすこともなく、うまく口に運びやすくなり、非常に食べやすい２本の箸状の柄（２）がついたスプーン（１）となったことにより、お年寄りも上手に食べられるようになった。【選択図】図１
2007330741.tif 000002
【特許請求の範囲】
【請求項１】
スプーンの柄をお箸のように２本にしたスプーン。
【発明の詳細な説明】
【技術分野】
【０００１】  この発明は、スプーンの柄をお箸のように２本にしたスプーンに関するものである。
【背景技術】
【０００２】  従来、スプーンの柄は、１本になっていた。
【発明の開示】
【発明が解決しようとする課題】
【０００３】  これはつぎのような問題点があった。
お年寄りの方は、スプーンやフオークの柄を握り込んでしまいスプーンやフオークの柄と手の角度が垂直になりうまく食べ物を口に運べない点が問題だった。
【課題を解決する手段】
【０００４】  スプーンの柄を２本にする。
以上の構成よりなる、柄を２本にしたスプーンである。
【発明の効果】
【０００５】  柄が２本になっているので握り込む人が軽減できる。それによりお箸で食べている感覚になり、こぼさず食べやすくなる。
【発明を実施するための最良の形態】
【０００６】  以下、本発明の実施れいについて説明する。
スプーン（１）に２本の柄（２）を設ける。
本発明は、以上のような構造でこれを使用するときは、スプーンと一体になった、２本の柄をお箸のように持って食べればよい。
【図面の簡単な説明】
【０００７】
【図１】  本発明の斜視図である。
【符号の説明】
【０００８】  １  スプーン
２  ２本の柄
【図１】
2007330741.tif 000003
(57)【要約】【課題】    布製等軽量Ａ４型サイズカバンの片側面に、同サイズ相当のクリップボードを取り付け、その４角に吊りフックを取り付けたカバンを提供する。【解決手段】布製等軽量Ａ４型サイズカバン（１）の片側面に、同サイズ相当のクリップボード（２）の周辺をカバンに固定し、このカバンの４角に吊りフック（３）を付け、吊りバンド（４）で最適な長さに調整する事を特徴とする。            尚、副事的に、カバン内Ａ４型資料の型くずれが無くなった。【選択図】図１
2007330729.tif 000002
【特許請求の範囲】
【請求項１】
布製等軽量Ａ４型サイズのカバンの片側面に、同サイズ相当のクリップボードをカバンの周辺に固定する。
このカバンの４角に吊りフックを取り付ける、そして立ちポーズでも吊りバンドの長さを調整し、このボード上でメモ等がとれるようにしたカバン
【発明の詳細な説明】
【技術分野】
【０００１】    この発明は、布製等軽量Ａ４型サイズカバンの片側面に、同等面積のクリップボード及びカバンの４角に吊りフックを取り付けることに関するものである。
【技術背景】
【０００２】    従来、布製等軽量Ａ４型サイズカバンとクリップボードは別々になっていた。
【発明の開示】
【発明が解決しようとする課題】
【０００３】    これは、つぎのような問題点があった。
机のない集会所等でメモをとる時、又は屋外等で立ちポーズで見取り図等を作図する時、このカバンを台にしては柔らかくてメモ又は図面等が書きずらかつた。
本発明は、以上のような欠点をなくすためになされたものである。
【課題を解決するための手段】
【０００４】    布製等軽量Ａ４型サイズカバンの片側面に、同等面積のクリップボード及びカバンの４角に吊りフックを取り付け、吊りバンドで首部より吊ることにより立ちポーズでもメモをとることができる。
以上の構成よりなる、布製等軽量Ａ４型サイズカバンである。
【発明の効果】
【０００５】    クリップボードをカバンの側面に取り付け且つカバンの４角に吊りフックが取り付けてあるので立ちポーズでも、メモをとる必要性が生じたら吊りバンドを取り付け即座に対処できる。
【発明を実施するための最良の形態】
【０００６】    以下、本発明の実施例に付いて説明する。
布製等軽量Ａ４型サイズカバン（１）の片側面に、同等サイズ相当のクリップボード（２）の周辺をカバンに固定する。
このカバンの４角に吊りフック（３）を取り付け、立ちポーズでメモをとる場合は、このフックに吊りバンド（４）を掛け高さを調整後メモをとる。
【図面の簡単な説明】
【０００７】
【図１】    本発明の正面図である。
【図２】    図−１をａ線より見た側面図である。
【図３】    図−１を立ちポーズで使用した例の斜視図である。
【符号の説明】
【０００８】    １．布製等軽量Ａ４型サイズカバン
２．Ａ４サイズ相当のクリップボード
３．カバン吊り用フック
４．カバン吊りバンド
【図１】
2007330729.tif 000003
【図２】
2007330729.tif 000004
【図３】
2007330729.tif 000005